(57)【特許請求の範囲】
【請求項１】
レーザを出力するレーザ光源部を有するレーザ光源装置と、
前記レーザ光源部から出力されたレーザが通る内部光ファイバーケーブルを有する内部ケーブル装置と、
前記内部光ファイバーケーブルを通ったレーザを拡散させる光拡散部と、
前記光拡散部で拡散されたレーザが通る光路部が形成され、前記光路部を通ったレーザが通る外部光ファイバーケーブルが挿抜されるインターフェイス部と、
前記レーザ光源部、前記内部光ファイバーケーブル、前記光拡散部および前記インターフェイス部が取り付けられる筐体と
を備え、
前記レーザ光源部、前記内部光ファイバーケーブルおよび前記光拡散部は、前記筐体の内部に配置されていることを特徴とするレーザ照明装置。
【請求項２】
前記レーザ光源装置は、それぞれが異なる種類のレーザを出力する複数の前記レーザ光源部を有し、
前記ケーブル装置は、それぞれの前記レーザ光源部から出力されたそれぞれのレーザが通る複数の前記内部光ファイバーケーブルを有し、
前記光拡散部は、それぞれの前記内部光ファイバーケーブルを通ったそれぞれのレーザを拡散させるとともにミキシングすることを特徴とする請求項１に記載のレーザ照明装置。
【請求項３】
前記光拡散部は、前記筐体における底面部に配置されていることを特徴とする請求項１または請求項２に記載のレーザ照明装置。
【請求項４】
前記内部光ファイバーケーブルは、前記筐体における底面部に配置されていることを特徴とする請求項１から請求項３までの何れか一項に記載のレーザ照明装置。
【発明の詳細な説明】
【技術分野】
【０００１】
この発明は、レーザを出力するレーザ照明装置に関する。
【背景技術】
【０００２】
従来、可視光のレーザを出力するレーザ光源部と、レーザ光源部で出力されたレーザが通るインターフェイス部と、レーザ光源部およびインターフェイス部が取り付けられた筐体と、筐体の外側に設けられた光拡散部と、インターフェイス部と光拡散部とに接続された光ファイバーケーブルとを備えたレーザ照明装置が知られている（例えば、特許文献１参照）。
【先行技術文献】
【特許文献】
【０００３】
【特許文献１】特開２０１４−１２１６３０号公報
【発明の概要】
【発明が解決しようとする課題】
【０００４】
しかしながら、光ファイバーケーブルには光拡散部で拡散される前のレーザが通るので、強度の高いレーザが筐体の外側に出力される。したがって、例えば、光ファイバーケーブルがインターフェイス部から外れてしまった場合には、強度の高いレーザがレーザ照明装置の外側に出力されてしまうという問題点があった。
【０００５】
この発明は、光拡散部で拡散される前のレーザがレーザ照明装置の外側に出力されることを抑制することができるレーザ照明装置を提供するものである。
【課題を解決するための手段】
【０００６】
この発明に係るレーザ照明装置は、可視光のレーザを出力するレーザ光源部を有するレーザ光源装置と、レーザ光源部から出力されたレーザが通る内部光ファイバーケーブルを有するケーブル装置と、内部光ファイバーケーブルを通ったレーザを拡散させる光拡散部と、光拡散部で拡散されたレーザが通る光路部が形成され、光路部を通ったレーザが通る外部光ファイバーケーブルが挿抜されるインターフェイス部と、レーザ光源装置、ケーブル装置、光拡散部およびインターフェイス部が取り付けられる筐体とを備え、レーザ光源部、内部光ファイバーケーブルおよび光拡散部は、筐体の内部に配置されている。
【発明の効果】
【０００７】
この発明に係るレーザ照明装置によれば、レーザ光源部、内部光ファイバーケーブルおよび光拡散部が筐体の内部に配置されているので、光拡散部で拡散される前のレーザがレーザ照明装置の外側に出力されることを抑制することができる。
【図面の簡単な説明】
【０００８】
【図１】この発明の実施の形態１に係るレーザ照明装置を示す平面図である。
【図２】図１のレーザ照明装置を示す正面図である。
【発明を実施するための形態】
【０００９】
実施の形態１．
図１はこの発明の実施の形態１に係るレーザ照明装置を示す平面図、図２は図１のレーザ照明装置を示す正面図である。図において、レーザ照明装置は、それぞれが異なる種類のレーザを出力する複数のレーザ光源部１１を有するレーザ光源装置１と、それぞれのレーザ光源部１１から出力されたそれぞれのレーザが通る複数の内部光ファイバーケーブル２１を有する内部ケーブル装置２と、それぞれの内部光ファイバーケーブル２１をまとめるケーブルバンド部３と、それぞれの内部光ファイバーケーブル２１を通ったそれぞれのレーザを拡散させるとともにミキシングする光拡散部４と、光拡散部４で拡散されるとともにミキシングされたレーザが通る光路部５１が形成されたインターフェイス部５と、インターフェイス部５に挿抜され、インターフェイス部５に挿入されている場合に、光路部５１を通ったレーザが通る外部光ファイバーケーブル６と、レーザ光源部１１、内部光ファイバーケーブル２１、光拡散部４およびインターフェイス部５が取り付けられる筐体７とを備えている。
【００１０】
異なる種類のレーザを出力する複数のレーザ光源部１１には、それぞれが異なる色の可視光のレーザを出力する複数のレーザ光源部１１と、赤外光（ＩＲ）のレーザを出力するレーザ光源部１１とが含まれている。異なる色の可視光のレーザとしては、赤（Ｒ）、緑（Ｇ）および青（Ｂ）のレーザが挙げられる。この例では、４個のレーザ光源部１１を有するレーザ光源装置１の構成について説明したが、４個以外の数のレーザ光源部１１を有するレーザ光源装置１であってもよく、レーザ光源装置１は、１つのレーザ光源部１１から構成されてもよい。なお、内部ケーブル装置２は、レーザ光源装置１が１つレーザ光源部１１から構成されている場合に、１つの内部光ファイバーケーブル２１から構成される。
【００１１】
光拡散部４は、拡散板４１と、ロッドレンズ４２とを有している。内部光ファイバーケーブル２１を通ったそれぞれのレーザは、ロッドレンズ４２、拡散板４１の順に、光拡散部４を通る。
【００１２】
インターフェイス部５は、筐体７の側壁に取り付けられている。レーザ光源部１１、内部光ファイバーケーブル２１、光拡散部４は、筐体７の内部であって、筐体７の底面部に配置されている。
【００１３】
外部光ファイバーケーブル６を通るレーザは、光拡散部４を通ったレーザであるので、光拡散部４を通る前のレーザよりも強度が低い。また、外部光ファイバーケーブル６は、光拡散部４で拡散されたレーザが通るので、光拡散部４で拡散される前のレーザが通る内部光ファイバーケーブルよりもファイバー径が小さくなっている。つまり、外部光ファイバーケーブル６の径寸法は、内部ファイバーケーブル２１の径寸法よりも大きい。
【００１４】
次に、レーザ照明装置によるレーザ照明方法について説明する。それぞれのレーザ光源部１１に電力が供給されると、それぞれのレーザ光源部１１からレーザが出力される。このとき、レーザ光源部１１には熱が発生する。レーザ光源部１１は、筐体７の底面部に配置されているので、レーザ光源部１１は、他の熱源から受ける熱の影響が低減されている。
【００１５】
それぞれのレーザ光源部１１から出力されたレーザは、それぞれの内部光ファイバーケーブル２１を通る。内部光ファイバーケーブル２１は、筐体７の底面部に配置されているので、内部光ファイバーケーブル２１は、他の熱源から受ける熱の影響が低減されている。
【００１６】
内部光ファイバーケーブル２１を通ったそれぞれのレーザは、光拡散部４を通り、拡散されるとともにミキシングされる。このとき、光拡散部４には熱が発生する。光拡散部４は、筐体７の底面部に配置されているので、光拡散部４は、他の熱源から受ける熱の影響が低減されている。
【００１７】
光拡散部４を通ったレーザは、インターフェイス部５を介して、外部光ファイバーケーブル６を通る。外部光ファイバーケーブル６を通ったレーザは、レーザ照射予定部分に当てられる。これにより、レーザ照射予定部分が照らされる。
【００１８】
以上説明したように、この発明の実施の形態１に係るレーザ照明装置によれば、レーザを拡散させる光拡散部４が筐体７の内部に配置されているので、光拡散部４で拡散される前のレーザがレーザ照明装置の外側に出力されることを抑制することができる。
【００１９】
また、このレーザ照明装置は、レーザ光源装置１が、それぞれが異なる種類のレーザを出力する複数のレーザ光源部１１を有し、内部ケーブル装置２が、それぞれのレーザ光源部１１から出力されたそれぞれのレーザが通る複数の内部光ファイバーケーブル２１を有し、光拡散部４は、それぞれの内部光ファイバーケーブル２１を通ったそれぞれのレーザをミキシングするので、複数のレーザ光源部１１から互いに異なる種類のレーザを出力する場合であっても、１つの外部光ファイバーケーブル６を用いて拡散されたレーザを筐体７の外部に出力することができる。
【００２０】
また、光拡散部４は、筐体７における底面部に配置されているので、光拡散部４が筐体７における他の熱源によって加熱されてしまうことを抑制することができる。これにより、光拡散部４の高熱による性能の劣化を抑制することができる。
【００２１】
また、内部光ファイバーケーブル２１は、筐体７における底面部に配置されているので、内部光ファイバーケーブル２１が筐体７における他の熱源によって加熱されてしまうことを抑制することができる。これにより、内部光ファイバーケーブル２１の高熱による性能の劣化を抑制することができる。
【符号の説明】
【００２２】
１  レーザ光源装置、２  内部ケーブル装置、３  ケーブルバンド部、４  光拡散部、５  インターフェイス部、６  外部光ファイバーケーブル、７  筐体、１１  レーザ光源部、２１  内部光ファイバーケーブル、４１  拡散板、４２  ロッドレンズ、５１  光路部。
【図１】
0006345074.tif 000002
【図２】
0006345074.tif 000003